(57)【要約】      （修正有）【課題】スペースの狭い場所であっても、映像光が投影領域以外の部分からは透けないように、遮光性を付与することが可能で、映像と印刷部のそれぞれの視認性がより明りょうとなるスクリーンフィルム及び映像投影システムを提供する。【解決手段】映像光による映像が投影される投影領域２と、印刷部４Ａ〜４Ｆとを有するスクリーンフィルム１であって、前記印刷部が遮光印刷層を含み、前記遮光印刷層の光学濃度が２．６以上である。【選択図】図１
2020201395.tif 000002
【特許請求の範囲】
【請求項１】
映像光による映像が投影される投影領域と、印刷部とを有するスクリーンフィルムであって、
前記印刷部が遮光印刷層を含み、前記遮光印刷層の光学濃度が２．６以上である、スクリーンフィルム。
【請求項２】
前記遮光印刷層の厚み（ＴＡ）と前記遮光印刷層以外の前記投影領域の厚み（ＴＢ）との差（ＴＡ−ＴＢ）が、５０μｍ以上である請求項１に記載のスクリーンフィルム。
【請求項３】
前記遮光印刷層の輝度（ＬＡ）と前記遮光印刷層以外の前記投影領域の輝度（ＬＢ）との比（ＬＢ／ＬＡ）が２．２以上である請求項１又は２に記載のスクリーンフィルム。
【請求項４】
前記遮光印刷層が前記投影領域の周囲に形成されている請求項１〜３のいずれか１項に記載のスクリーンフィルム。
【請求項５】
前記遮光印刷層が多層印刷層であり、黒色印刷層、白色印刷層、カラー印刷層を含む請求項１〜４のいずれか１項に記載のスクリーンフィルム。
【請求項６】
請求項１〜５のいずれか１項に記載のスクリーンフィルムと映写機とを有し、前記映写機のレンズから前記スクリーンフィルムまでの最短距離が１００ｃｍ以下である、映像投影システム。
【発明の詳細な説明】
【技術分野】
【０００１】
本発明は、スクリーンフィルム及び映像投影システムに関する。
【背景技術】
【０００２】
製品の販売やサービスの提供等を宣伝又は広告する手段として、従来、スクリーンに映像を拡大投射する手段等が知られている。
例えば、特許文献１では、透過型スクリーンからなる広告シートとして、その面方向において光透過性を有する部分と隠蔽性を有する部分とが混在してなり、かつ、隠蔽性を有する部分に対応して画像部分を有してなる広告シートが提案されている。
【先行技術文献】
【特許文献】
【０００３】
【特許文献１】特開２００５−３７８１８号公報
【発明の概要】
【発明が解決しようとする課題】
【０００４】
ところで、従来のリア・プロジェクション・システムでは、スクリーンから一定の距離を置いてプロジェクタを設置する必要がある。そのため、プロジェクタからスクリーンまでの空間がいわゆるデッドスペースになり、ユーザの利用可能な空間がその分だけ奪われてしまう。そこで、プロジェクタからスクリーンまでの空間を狭くしてデッドスペースを無くす必要があるが、プロジェクタからスクリーンまでの距離が短くなると、プロジェクタからの映像光が、投影される投影面（投影領域）以外の部分から透けやすくなる。
【０００５】
また、最近ではプロジェクタからスクリーンに映像を投影しながら、映像投影部以外に印刷部を設けて、映像による宣伝広告効果をより高める手法が採用されている。このような場合、映像投影部への映像光が印刷部に照射されると、印刷部に映像光が漏れたり、映像光により印刷部の本来の色調が変化して、印刷部の視覚効果を低減させてしまうことがあった。
【０００６】
特許文献１のように単に隠蔽性を有する部分を設けたとしても、プロジェクタからの投影映像（光）が投影面以外の部分から透けやすくなり、明りょうな映像が得られないことが懸念される。特に、プロジェクタからスクリーンまでの距離が短くなると、透けやすさがより目立つようになる。
【０００７】
以上から、本発明は上記に鑑みてなされたものであり、スペースの狭い場所であっても、映像光が投影領域以外の部分からは透けないように、遮光性を付与することが可能で、映像と印刷部のそれぞれの視認性がより明りょうとなるスクリーンフィルム及び映像投影システムを提供することを目的とする。
【課題を解決するための手段】
【０００８】
本発明者らは、下記本発明により上記課題を解決できることを見出し、本発明を完成した。すなわち本発明は下記のとおりである。
【０００９】
［１］  映像光による映像が投影される投影領域と、印刷部とを有するスクリーンフィルムであって、前記印刷部が遮光印刷層を含み、前記遮光印刷層の光学濃度が２．６以上である、スクリーンフィルム。
［２］  前記遮光印刷層の厚み（ＴＡ）と前記遮光印刷層以外の前記投影領域の厚み（ＴＢ）との差（ＴＡ−ＴＢ）が、５０μｍ以上である［１］に記載のスクリーンフィルム。
［３］  前記遮光印刷層の輝度（ＬＡ）と前記遮光印刷層以外の前記投影領域の輝度（ＬＢ）との比（ＬＢ／ＬＡ）が２．２以上である［１］又は［２］に記載のスクリーンフィルム。
［４］  前記遮光印刷層が前記投影領域の周囲に形成されている［１］〜［３］のいずれかに記載のスクリーンフィルム。
［５］  前記遮光印刷層が多層印刷層であり、黒色印刷層、白色印刷層、カラー印刷層を含む［１］〜［４］のいずれかに記載のスクリーンフィルム。
［６］  ［１］〜［５］のいずれかに記載のスクリーンフィルムと映写機とを有し、前記映写機のレンズから前記スクリーンフィルムまでの最短距離が１００ｃｍ以下である、映像投影システム。
【発明の効果】
【００１０】
本発明によれば、スペースの狭い場所であっても、映像光が投影領域以外の部分からは透けないように、遮光性を付与することが可能で、映像と印刷部のそれぞれの視認性がより明りょうとなるスクリーンフィルム及び映像投影システムを提供することができる。
【図面の簡単な説明】
【００１１】
【図１】本発明のスクリーンフィルムの一態様の概略を示す概略正面図である。
【図２】本発明のスクリーンフィルムを用いた映像投影システムの一態様の概略を示す概略正面図である。
【図３】図２の映像投影システムの側面を示す概略側面図である。
【図４】本発明のスクリーンフィルムを用いた映像投影システムの他の一態様の概略を示す概略正面図である。
【図５】図４の映像投影システムの側面を示す概略側面図である。
【発明を実施するための形態】
【００１２】
［スクリーンフィルム］
本発明の一実施形態（本実施形態）に係るスクリーンフィルムは、映像光による映像が投影される投影領域と、印刷部とを有し当該印刷部が遮光印刷層を含む。
。そして、この遮光印刷層の光学濃度が２．６以上となっている。
【００１３】
このような遮光印刷層を有することで、映像光の影響を受けやすい箇所にある印刷部に遮光性を付与することが可能で、当該印刷部への映像光の影響がなくなって、映像と印刷部のそれぞれの視認性がより明りょうとなる。また、遮光印刷層は印刷で加工され得るため、貼りあわせにより遮光膜を形成するものに比べて、量産性および仕上がり精度が高くなり、複雑なデザインにも対応できる。
【００１４】
光源からスクリーンまでの距離、例えばその最短距離が４０ｍｍと短い状態では、光源からの投影映像（光）が投影面以外の部分から透けやすくなる。これに対し本実施形態においては遮光印刷層の光学濃度が２．６以上となっていることで、上記のような状態でも少なくとも遮光印刷層への映像光の影響がなくなって、映像と遮光印刷層における印刷部のそれぞれの視認性がより明りょうとなる。
【００１５】
図１に示すように、スクリーンフィルム１の投影領域２は、映写機等により投影映像が照射される領域で、例えば、点線で囲まれた領域である。そしてその周りには、映像と印刷のコラボレーション的効果を得る観点から、例えば印刷部４Ａ〜４Ｃが形成されている。このような場合に、印刷部４Ａ〜４Ｃへの投影映像による映像光の影響が及ぶと、印刷部の本来の色調が変化して、意図する印象を与えづらくなる。これに対し、そのような部分、すなわち、映像光の影響が及ぶ部分の印刷部（４Ａ〜４Ｃ）を遮光印刷層とすることで、印刷部への映像光の影響がなくなって、映像と印刷部のそれぞれの視認性がより明りょうとなる。
また、印刷部は、白黒印刷、単色印刷、多色印刷といった印刷が施された部分をいい、その印刷部を形成する手段は特に限定されないが、インクジェット印刷によるものが好ましい。
なお、図１の例では、印刷部４Ａ〜４Ｃの他に、映写機からの映像光の影響を受けない箇所にも印刷部４Ｄ〜４Ｆ（４Ｆは文字部分が印刷部）が形成されているが、これらは、遮光印刷層であっても、単なる印刷層であってもよい。
【００１６】
遮光印刷層は単色画像やカラー画像が形成される層であって、かつ、既述の光学濃度が２．６以上となっている層である。光学濃度が２．６未満では、映像光が投影領域周辺の印刷部又は投影領域内の印刷部から透けやすくなる。光学濃度は、２．７以上であることが好ましく、２．８以上であることがより好ましい。光学濃度は実施例に記載の方法により測定することができる。
なお、印刷特性や密着性の観点から、光学濃度は６．０以下が好ましく、４．０以下がより好ましい。
【００１７】
上記のような光学濃度が２．６以上の遮光印刷層を形成するには、遮光印刷層として、黒色の印刷層（黒色印刷層）を形成すればよいが、その際に黒色印刷層の濃度を上げたり、厚みを増やしたり、黒色印刷層を２層以上形成したりすればよい。
【００１８】
遮光印刷層の厚み（ＴＡ）と印刷部のない投影領域の厚み（ＴＢ）との差（ＴＡ−ＴＢ）は、５０μｍ以上であることが好ましく、６０μｍ以上であることがより好ましく、７０μｍ以上であることさらに好ましく、なかでも、８０μｍ以上であることが好ましい。ＴＡ−ＴＢを５０μｍ以上とすることで、良好な遮光性を維持して映像と印刷部のそれぞれの視認性がより明りょうとなる。
なお、後加工時や収納時にインクが割れたり、はがれやすくなるため、ＴＡ−ＴＢは、２００μｍ以下であることが好ましく、１５０μｍ以下であることがより好ましく、１００μｍ以下であることがさらに好ましい。
【００１９】
遮光印刷層は多層印刷層であることが好ましく、黒色印刷層、白色印刷層、カラー印刷層を含むことが好ましい。カラー印刷層により、所望の色合いを有するカラー印刷画像が形成される。白色印刷層により、色調がくずれて意図した色とは違う色に変わってしまう色転びを抑制したり、色の鮮やかさや彩度を確保したり、白度を向上させたりすることができる。さらに、黒色印刷層により、主に遮光印刷層からの映像光の漏れを防ぐことができる。
【００２０】
黒色印刷層、白色印刷層、カラー印刷層の形成順序や、それぞれの層の数は特に限定されないが、遮光印刷層は４層以上で構成されていることが好ましく、５層以上で構成されていることがより好ましい。例えば、５層構成とする場合は、ベースフィルムから、カラー印刷層、白色印刷層、白色印刷層、黒色印刷層、黒色印刷層の順で形成したり、カラー印刷層、白色印刷層、黒色印刷層、白色印刷層、黒色印刷層で形成したり、カラー印刷層、白色印刷層、黒色印刷層、白色印刷層、カラー印刷層で形成したりすることが好ましい。これらのうち、ベースフィルム上にカラー印刷層、白色印刷層、白色印刷層、黒色印刷層、黒色印刷層の順で遮光印刷層が形成されていることがより好ましい。
【００２１】
本実施形態に係るスクリーンフィルムの好ましい態様としては、ベースフィルム上に、カラー印刷層、白色印刷層、黒色印刷層を含む所定の遮光印刷層を有する。以下、当該好ましい態様について説明する。
【００２２】
（ベースフィルム）
ベースフィルムを構成する樹脂としては、硬化性樹脂の硬化物や熱可塑性樹脂が挙げられ、熱可塑性樹脂が好ましい。熱可塑性樹脂としては、ポリカーボネート、熱可塑性ポリエステル（ポリエチレンテレフタレート、ポリエチレンナフタレート等）、トリアセチルセルロース、シクロオレフィンポリマー、ポリメチルメタクリレート、エチレン−テトラフルオロエチレンコポリマー（ＥＴＦＥ）等が挙げられ、耐候性および透明性の観点から、ポリカーボネート、熱可塑性ポリエステル、シクロオレフィンポリマーが好ましい。
【００２３】
ベースフィルムの厚みは、５０〜３００μｍであることが好ましく、１００〜２００μｍであることがより好ましい。
【００２４】
（遮光印刷層）
黒色印刷層は、例えば、公知の黒色のＵＶ硬化型インクで形成することができる。１層の黒色印刷層の厚みは、５〜３０μｍであることが好ましく、７〜２５μｍであることがより好ましい。
【００２５】
白色印刷層は、公知の白色のＵＶ硬化型インクで形成することができる。１層の白色印刷層の厚みは、０．５〜２５μｍであることが好ましく、１〜２０μｍであることがより好ましい。
【００２６】
カラー印刷層は、シアン（Ｃ）、マゼンタ（Ｍ）、イエロー（Ｙ）、ライトマゼンタ（ＬＭ）、ライトシアン（ＬＣ）、及び黒色（Ｋ）などの公知のＵＶ硬化型インクを適宜使用することで形成することができる。カラー印刷層により、文字、記号、図形、画像、写真又は種々のカラー像等のグラフィック像が形成される。
１層のカラー印刷層の厚みは、５〜３０μｍであることが好ましく、７〜２５μｍであることがより好ましい。
【００２７】
本実施形態に係るスクリーンフィルムの遮光印刷層の輝度（ＬＡ）は、スクリーンフィルムのおける印刷の見易さや良好な印象を与える観点から、０．３〜２．０ｃｄ／ｍ２であることが好ましく、０．４〜１．５ｃｄ／ｍ２であることがより好ましく、０．４〜１．０ｃｄ／ｍ２であることがさらに好ましい。
【００２８】
本実施形態に係るスクリーンフィルムの遮光印刷層の輝度（ＬＡ）と遮光印刷層以外の投影領域の輝度（ＬＢ）との比（ＬＢ／ＬＡ）は２．０以上であることが好ましく、２．２以上であることがより好ましく、２．４以上であることがさらに好ましい。ＬＢ／ＬＡが２．０以上（好ましくは２．２以上）であることでコントラスト（発色性）、特に、投影領域と印刷部とが明確になり、映像と印刷部のそれぞれの視認性がより明りょうとなる
輝度の比ＬＢ／ＬＡを２．０以上（好ましくは２．２以上）とするには、遮光印刷層を構成する黒色印刷層、白色印刷層、カラー印刷層の形成順序を、例えば、カラー印刷層、白色印刷層、白色印刷層、黒色印刷層、黒色印刷層の順にすることが好ましい。
【００２９】
遮光印刷層は、映像光の影響が及ぶ部分（内部や周囲等）の印刷部に適用すること好ましく、例えば、遮光印刷層は投影領域の周囲に形成されていることが好ましい。投影領域の周囲に形成されていることで、投影領域の周囲の印刷部への映像光の漏れをより良好に無くすことができる。遮光印刷層は投影領域の周囲に形成するには、印刷条件における印刷領域を適宜設定すればよい。
【００３０】
なお、映像光の影響が及ばない部分の印刷部や映像光の影響を気にしない印刷部については、本発明に係る遮光印刷層でなく、光学濃度を限定しない印刷層、すなわち、白色層及びカラー印刷層の少なくともいずれか、あるいは、これらに黒色層を組み合わせて光学濃度が高くないものとしてもよい。
【００３１】
本実施形態に係るスクリーンフィルムは、その投影領域の面積（投影領域が複数ある場合はその合計）Ｓ１と印刷部の面積（印刷部が複数ある場合はその合計）Ｓ２との比（Ｓ１／Ｓ２）が１／５以上であることが好ましく、３／１０〜５であることがより好ましく、３／１０〜４であることがさらに好ましい。当該面積比が１／５以上であると、映写と印刷との相乗効果が得られやすい。
【００３２】
スクリーンフィルムの面積は０．５〜９ｍ２であることが好ましく、１〜４ｍ２であることがより好ましい。
投影領域及び印刷部のそれぞれの形状は、特に限定されず、長方形、正方形等の矩形やその他の多角形、円形、楕円形等、種々の形状とすることができ、これらは連続していても、点在していてもよい。
また、スクリーンフィルムの形状も、長方形、正方形等の矩形やその他の多角形、円形、楕円形等、特に限定されない。スクリーンフィルムが長方形の場合、その幅は６００ｍｍ〜２０００ｍｍの範囲で、例えば６００ｍｍ、９００ｍｍ、１２００ｍｍ、１５００ｍｍ、及び２０００ｍｍ等から選択することができる。長さは５００ｍｍ〜３０００ｍｍの範囲で選択することができる。
【００３３】
投影領域は透明でも、映写可能な範囲で不透明でもよく、これらが組み合わされたものでもよい。透明な場合における平行光透過率は４０％以上であることが好ましく、４５％以上であることがより好ましい。また、映写可能な範囲で不透明な場合における投影領域におけるヘイズは、９０〜９９％であることが好ましい。上記透過率及びヘイズはＪＩＳ Ｋ−７１０５に準拠して測定することができる。
【００３４】
少なくとも、投影領域には適宜、ハードコート層を設けてもよい。ハードコート層は、投影領域の表面側（観察者側）又は裏面側に積層されるものであり、耐光性、耐傷性、及び防汚性等の機能を付与するための層である。ハードコート層は、投影領域の透過視認性や所望の光学特性を損なわないような樹脂を用いて形成することが好ましい。このような樹脂としては、例えば、紫外線・電子線によって硬化する樹脂、又はこれに熱可塑性樹脂と溶剤を混合したもの、及び熱硬化型樹脂を用いることができる。
【００３５】
ハードコート層の厚みは、１〜１０μｍであることが好ましく、３〜５μｍであることがより好ましい。
【００３６】
また、投影領域には適宜、低反射層や反射防止層を設けてもよい。具体的には、反射防止層付きフィルムを粘着剤を介して貼り合わせてもよい。
【００３７】
［映像投影システム］
以下、本発明の映像投影システムの一態様（本実施形態）について説明する。
本実施形態の映像投影システムは、本発明のスクリーンフィルムと映写機とを有し、映写機のレンズからスクリーンフィルムまでの最短距離を１００ｃｍ以下としたシステムである。
【００３８】
当該映像投影システムによれば、スペースの狭い場所であっても、映写と印刷との相乗効果により視覚的に優れた効果が得られる。当該効果は例えば、宣伝広告に用いた際により顕著に発揮される。例えば、提供する商品やサービスについてその特徴や機能といった情報や、これに関連した情報（例えば店舗の地図情報、各種施設や展示物の案内、イベント会場やイベント日時のようなイベント情報）等のような宣伝広告に、当該映像投影システムを用いれば、観る者に対して積極的な良い印象を残すことができる。
【００３９】
本実施形態の映像投影システムでは、既述のとおり、映写機のレンズからスクリーンフィルムまでの最短距離は１００ｃｍ以下としており、好ましくは２０〜７０ｃｍとし、より好ましくは２０〜６０ｃｍとし、さらに好ましくは４０〜６０ｃｍとする。最短距離が１００ｃｍを超えると、設置スペースが大きくなってしてしまう。最短距離は１００ｃｍ以下とするには、映写機として短焦点若しくは超短焦点のプロジェクターを用いることが好ましい。
なお、映写機はスペースをとり過ぎない範囲で複数用いてもよい。例えば、比較的サイズの大きい主たる投影領域用の映写機とその周辺で装飾的な目的を持つ投影領域用の映写機とを用いてもよい。
【００４０】
当該映像投影システムは、簡単に持ち運ぶことを可能とする観点から、総重量が１５ｋｇ以下であることが好ましく、１２ｋｇ以下であることがより好ましい。ここで、総重量とは、スクリーンフィルム、映写機（プロジェクタ）、台座、及び各種部材の合計の質量をいう。
【００４１】
また、スクリーンフィルムの映写機側には、映写機を設置する台座が設けられており、スクリーンフィルムと台座とが連結部材を介して一体となっていることが好ましい。連結部材としては、例えばパイプ材や板材等が挙げられ、適宜でネジ等で固定する。また、スクリーンフィルムを保持する支柱の下部と台座の下部とが共に同じ設置台に接続されている場合は、この設置台が連結部材となる。さらに、連結部材を伸縮自在として上記最短距離を調整できるようにしたり、台座を上下に調整できるようにして映写機の高さを調整できるようにしてもよい。
【００４２】
スクリーンフィルムの使用時の正面視において、映写機は、スクリーンフィルムの投影領域から視認できない視認不可能領域に設置することが好ましい。これにより、映写機側とは反対側のスクリーンフィルム面に形成される映像に、当該映写機が透けて見えることを防ぎ、視覚的により優れた効果が得られやすくなる。
【００４３】
本実施形態の映像投影システムは、例えば、百貨店内の催事場、映画館内、水族館内、アミューズメントパーク内のような屋内であって、好ましくは人ごみや商品が多くなりスペースを大きく取れない場所で、商品・サービスのＰＲ、予告ＰＲ、フロント案内、施設案内等として実施されることが好ましい。
【００４４】
以下、本実施形態の映像投影システムについて図面を参照してより詳細に説明するが、本考案はこれらに限定されるものではない。
【００４５】
（映像投影システムの第１の例）
第１の例は、図２及び図３に示すように、スクリーンフィルム１０が支持台１５から伸びる支柱１４，１４により保持されてなり、図面上その後方には、映写機２０が設置台３０の台座３２上に設けられてなる。
【００４６】
スクリーンフィルム１０は、上部から順に印刷部１２Ａ、投影領域１２Ｂ、印刷部１２Ｃを有してなる。また、映写機２０はスクリーンフィルム１０の投影領域１２Ｂから視認できない視認不可能領域、すなわち、印刷部１２Ｃの後方に設置されている。具体的には、スクリーンフィルム１０としては、図１に示すようなスクリーンフィルム１等が例示される。
【００４７】
ここで、映写機２０のレンズ２２からスクリーンフィルム１０までの最短距離は、図３のＬに相当する距離で、既述のとおり１００ｃｍ以下となっている。第１の例では、スクリーンフィルムと台座を有する設置台とが、例えば連結部材等を介して一体となっていないため、設置スペースに応じて上記最短距離を自由に設定できる利点がある。
【００４８】
一方で、スクリーンフィルムと台座を有する設置台とが、例えば連結部材等を介して一体となっていれば、改めて最短距離の設定をする手間が省ける利点があり、また、一体となっていることでスクリーンフィルムと映写機との安定感を向上させることができる。
【００４９】
なお、支柱１４は、伸縮自在の構成としてもよい。伸縮自在とすることで、スクリーンフィルムの大きさを自由に設定することができる。
【００５０】
（映像投影システムの第２の例）
第２の例は、図４及び図５に示すように、スクリーンフィルム５０が支持台５５から伸びる支柱５４，５４によりその上部が保持されてなり、その下部が支持台５５から伸びる線材５６，５６（例えば、ワイヤー、紐、鎖等）により保持されてなる。図面上その後方には、映写機６０が支持台５５の上部にある台座７２上に設けられてなる。
【００５１】
スクリーンフィルム５０は、上部から順に印刷部５２Ａ、投影領域５２Ｂ、印刷部５２Ｃを有してなる。具体的には、スクリーンフィルム５０としては、図１に示すようなスクリーンフィルム１等が例示される。
また、映写機６０はスクリーンフィルム５０の投影領域５２Ｂから視認できない視認不可能領域、すなわち、印刷部５２Ｃの後方に設置されている。
【００５２】
ここで、映写機６０のレンズ６２からスクリーンフィルム５０までの最短距離は、図５のＬに相当する距離で、既述のとおり１００ｃｍ以下となっている。第２の例では、スクリーンフィルムと台座を有する支持台５５を介して一体となっているため、改めて最短距離の設定をする手間が省ける利点があり、また、一体となっていることでスクリーンフィルムと映写機との安定感を向上させることができる。
【００５３】
なお、支柱５４は伸縮自在の構成として、これに応じて線材５６長さも調整できるようにしてもよい。このように伸縮自在とすることで、スクリーンフィルムの大きさを自由に設定することができる。
【００５４】
本実施形態に係る映像投影システムについては、本発明の効果をより有効なものとするために種々の改良が可能である。
例えば、音源を設けて音を出すことでより優れた効果（例えば、宣伝広告効果）を得ることができる。この場合、音源となるスピーカーとしては、特に限定されないが、音の指向性が高いスピーカーを用いることが好ましい。当該スピーカーはスクリーンフィルムの筒状のフレームに搭載したり、背面に振動板を介して搭載したり、あるいは、スクリーンフィルムを曲面状にし、その背面に曲面形状の振動板を有するスピーカーを設けたりすることが好ましい。このようなスピーカーを用いてスクリーンフィルムの背面側（映写機が設けられている側）からスクリーンフィルムの正面に向けて音を出すことで、正面に立つ人には明瞭に音が聞こるが、正面方向から外れるとほとんど音が感じられなくすることができる。すなわち、音の拡散が防がれて周囲への騒音防止を図ることができる。また、スクリーンフィルムの正面で映像等に興味を持った人だけを対象に選択的に音を流すことが可能となる。
【００５５】
また、投影領域に映像を投影する時間を決まった時間に流すように設定してもよい。映像としてはインターネットから配信されるようにしてもよい。
さらに、投影領域及び印刷部の他にペン等で文字、図形、イラスト等を書き込み可能な書込可能領域を設けてもよい。
【実施例】
【００５６】
次に、実施例により本発明を具体的に説明するが、本発明はこれらに限定されるものではない。
【００５７】
［実施例１］
（スクリーンフィルムの作製）
パナック（株）社製の商品名：ＰＪＢ１２５Ｋ１Ｗのフィルム（厚さ：１２５μｍ）上に、インクジェット印刷（（株）ＳＣＲＥＥＮホールディングス製Ｔｒｕｅｐｒｅｓｓ Ｊｅｔ２５００ＵＶ）によりカラー印刷層、第１の白色印刷層、第２の白色印刷層、第１の黒色印刷層、第２の黒色印刷層をこの順に形成して遮光印刷層（印刷部）を形成した。
当該遮光印刷層は、幅２９７ｍｍ、長さ２１０ｍｍの上記フィルムの中央部に幅２７７ｍｍ、長さ１９０ｍｍでシアン、マゼンタ、イエロー、ブラックのそれぞれが１００％となるデータで印刷し形成した。上記フィルム全体が投影領域となる。
【００５８】
なお、白色印刷層用のインクとしては、ＵＶ硬化型インク（ＵＶＩＪＥＴ ＷＪ ホワイト 製品番号ＷＪ０２１、大日本スクリーン製造（株）製）を用い、黒色印刷層用のインクとしては、ＵＶ硬化型インク（ＵＶＩＪＥＴ ＷＪ ブラック 製品番号ＷＪ００４、大日本スクリーン製造（株）製）を用いた。また、カラー印刷層用のインクとしては、白色印刷層用インク及び黒色印刷層用インクとともに、黄色のＵＶ硬化型インク（ＵＶＩＪＥＴ ＷＪ イエロー 製品番号ＷＪ０５２、大日本スクリーン製造（株）製）、シアンのＵＶ硬化型インク（ＵＶＩＪＥＴ ＷＪ 製品番号ＷＪ２１５、大日本スクリーン製造（株）製）、ライトシアンのＵＶ硬化型インク（ＵＶＩＪＥＴ ＷＪ 製品番号ＷＪ２５５、大日本スクリーン製造（株）製）ライトマゼンタのＵＶ硬化型インク（ＵＶＩＪＥＴ ＷＪ 製品番号ＷＪ３３５、大日本スクリーン製造（株）製）、マゼンタのＵＶ硬化型インク（ＵＶＩＪＥＴ ＷＪ 製品番号  ＷＪ８６７、大日本スクリーン製造（株）製）を用いた。
【００５９】
（スクリーンフィルムの評価）
白黒透過濃度計３６１Ｔ（Ｘ−ｒｉｔｅ社製、光源色温度：２８５０Ｋ、アパーチャー：３ｍｍ）を用い、遮光印刷層の光学濃度を測定した。
また、遮光印刷層の厚み（ＴＡ）と遮光印刷層以外の投影領域の厚み（ＴＢ）との差  （ＴＡ−ＴＢ）を求めた。
さらに、遮光印刷層の輝度（ＬＡ）と遮光印刷層以外の投影領域の輝度（ＬＢ）とを測定し、その比（ＬＢ／ＬＡ）を求めた。
なお、輝度の測定には、色彩輝度計ＢＭ−７（トプコンテクノハウス社製、測定対象と輝度計との距離：３５０ｍｍ、測定角度：１°、測定面積：５ｍｍφ）を用いた。
【００６０】
また、スクリーンフィルムの遮光印刷層が設けられていない側から、プロジェクタ（リコー社製のＷＸ４１５２Ｎ）から映像を照射し、遮光印刷層付近を目視で観察し、映像が透けて見えるか、及びカラー印刷の発色性が良好かを観察した。プロジェクタのレンズからスクリーンフィルムまでの最短距離は４０ｍｍとした。
映像が透けて見えず、かつ印刷の発色性が良好である場合をＡとし、映像が透けて見えないが、印刷の発色性がＡ評価よりやや劣る場合をＢとし、映像が透けて見えてしまう場合をＣとした。
これらの結果を表１に示す。
【００６１】
［実施例２］
（スクリーンフィルムの作製）
パナック（株）社製の商品名：ＰＪＢ１２５Ｋ１Ｗのフィルム（厚さ：１２５μｍ）上に、カラー印刷層、第１の白色印刷層、第１の黒色印刷層、第２の白色印刷層、第２の黒色印刷層をこの順に形成した以外は実施例１と同様にして、遮光印刷層をスクリーンフィルムを作製した。
【００６２】
（スクリーンフィルムの評価）
実施例１と同様にしてスクリーンフィルムの評価を行った。結果を表１に示す。
【００６３】
［比較例１］
（スクリーンフィルムの作製）
パナック（株）社製の商品名：ＰＪＢ１２５Ｋ１Ｗのフィルム（厚さ：１２５μｍ）上に、カラー印刷、第１の白色印刷層、第１の黒色印刷層をこの順に形成した以外は実施例１と同様にして、遮光印刷層をスクリーンフィルムを作製した。
【００６４】
（スクリーンフィルムの評価）
実施例１と同様にしてスクリーンフィルムの評価を行った。結果を表１に示す。
【００６５】
【表１】
2020201395.tif 000003
【００６６】
実施例１は遮光性と発色の両方が共に高いレベルで確保されており映像と印刷部のそれぞれの視認性がより明りょうとなっていた。また、実施例２は発色が実施例１ほどではなかったが、映像と印刷部のそれぞれの視認性が明りょうとなっていた。一方で、比較例は遮光性と発色の両方が共に低かった。
【符号の説明】
【００６７】
１，１０  スクリーンフィルム
４Ａ〜４Ｆ，１２Ａ，１２Ｃ  印刷部
２，１２Ｂ  投影領域
１４  支柱
１５  支持台
２０  映写機
２２  レンズ
３０  設置台
３２  台座
【図１】
2020201395.tif 000004
【図２】
2020201395.tif 000005
【図３】
2020201395.tif 000006
【図４】
2020201395.tif 000007
【図５】
2020201395.tif 000008